【手続補正書】
【提出日】平成21年12月16日(2009.12.16)
【手続補正１】
【補正対象書類名】明細書
【補正対象項目名】００１１
【補正方法】変更
【補正の内容】
【００１１】
特許文献２に開示された技術は、衛星測位用信号の種類に応じて測位処理系の受信特性を切り替える。この技術によって例えば、ＧａｌｉｌｅｏのＬ１帯域（中心周波数：１５７５．４２ＭＨｚ）と、ＧａｌｉｌｅｏのＥ５ａ帯域（中心周波数：１１７６．４５ＭＨｚ）を１つの受信装置で対応する場合について考える。２つの帯域のＲＦ信号に対して、同じＲＦバンドフィルタを用いるのでは、ＲＦバンドフィルタは（１１７６．４５−１０）ＭＨｚ〜（１５７５．４２＋２）ＭＨｚまで対応する必要があり、狭帯域フィルタとはいい難い。特にＳＡＷを除去するためにＲＦアンプに後に設けられたＲＦバンドフィルタの妨害波の除去効果が低くなってしまう。一方、対象になり得る衛星測位用信号の種類毎に特性が異なるＲＦバンドパスフィルタを用意しておき、実際に受信する衛星測位用信号の種類に応じてこれらのＲＦバンドパスフィルタを切替えて使用するのでは、ＲＦバンドパスフィルタの数が多くなってしまう。例えば、上記２つの例の帯域の信号を１つの装置で受信するために、下記の４個のＲＦバンドパスフィルタが必要である：ＧａｌｉｌｅｏのＬ１帯域の信号のためのＲＦバンドパスフィルタ（１５７５．４２±２ＭＨｚ）２個と、ＧａｌｉｌｅｏのＥ５ａ帯域の信号のためのＲＦバンドパスフィルタ（１１７６．４５±１０ＭＨｚ）２個。
【手続補正２】
【補正対象書類名】明細書
【補正対象項目名】００２６
【補正方法】変更
【補正の内容】
【００２６】
Ａ／Ｄ変換器１６５は、ＩＦバンドパスフィルタ１５０から入力されたＩＦ信号をデジタル信号に変換してデジタル処理部１８０に出力する。また、Ａ／Ｄ変換器１６５とＶＧＡ１６０の間に、ＶＧＡ１６０の利得を調整する利得調整部１７０が接続されている。
【手続補正３】
【補正対象書類名】明細書
【補正対象項目名】００６２
【補正方法】変更
【補正の内容】
【００６２】
＜第２の実施の形態＞
図３は、本発明の第２の実施の形態にかかる受信装置２００を示す。この受信装置２００は、利得調整部２７０が図１に示す受信装置１００における利得調整部１７０と異なる点を除き、他の各機能ブロックは同じである。そのため、図３において、図１に示す受信装置１００のものと同様の構成または機能を有する部分に対して同一の符号を付与すると共に、これらの部分に対する説明を省略する。
【手続補正４】
【補正対象書類名】明細書
【補正対象項目名】００６３
【補正方法】変更
【補正の内容】
【００６３】
ここで図４を参照して、図３に示す受信装置２００における利得調整部２７０を説明する。
【手続補正５】
【補正対象書類名】明細書
【補正対象項目名】００８２
【補正方法】変更
【補正の内容】
【００８２】
前述したように、第１のＲＦ受信パス３１０から出力されるＲＦ信号の中心周波数は１５７５．４２ＭＨｚであり、第２のＲＦ受信パス３２０から出力されるＲＦ信号の中心周波数は１５７５．４２ＭＨｚと１６０６．１１ＭＨｚである。イメージリジェクションミキサ３４３を上部サイドに設定すれば、１６０６．１１ＭＨｚのＲＦ信号は１５．３４５ＭＨｚのＩＦ信号に変換され、イメージリジェクションミキサ３４３を下部サイドに設定すれば、１５７５．４２ＭＨｚのＲＦ信号も１５．３４５ＭＨｚに変換される。
【手続補正６】
【補正対象書類名】明細書
【補正対象項目名】０１１０
【補正方法】変更
【補正の内容】
【０１１０】
＜第５の実施の形態＞
図８は、本発明の第５の実施の形態にかかる受信装置５００を示す。受信装置５００は、第３の実施の形態の受信装置３００と同じように、中心周波数が異なる３つ衛星測位用信号（ＧａｌｉｌｅｏのＬ１帯域、ＧＰＳのＬ５Ｃ帯域、ＧａｌｉｌｅｏのＥ５ｂ帯域）を切替えて受信するものであり、第１のＲＦ受信パス５１０、第２のＲＦ受信パス５２０、同相結合器５３２、段間フィルタ５３４、周波数変換部５４０、ＩＦバンドパスフィルタ５５０、ＶＧＡ５６０、利得調整部５７０、デジタル処理部５８０、リファレンス信号発振器５８５、ヒューマンインターフェイス５９０を備える。
【手続補正７】
【補正対象書類名】明細書
【補正対象項目名】０１２２
【補正方法】変更
【補正の内容】
【０１２２】
ＰＬＬ６００は、分周器６１０、ＰＤ＆ＣＰ６２０、ループフィルタ６３０、分周器６４０、分周器６５０を有する。分周器６１０は、リファレンス信号発振器５８５からのリファレンス信号を分周してＰＤ＆ＣＰ（ＰＤ：Ｐｈａｓｅ  Ｄｅｔｅｃｔｏｒ、ＣＰ：Ｃｈａｒｇｅ  Ｐｕｍｐ）６２０に入力し、ＰＤ＆ＣＰ６２０は、分周器６１０と分周器６５０からの信号の位相差を検出すると共に、検出した位相差に応じたパルス幅を有する信号を出力する。ループフィルタ６３０は、ＰＤ＆ＣＰ６２０からの信号のパルス幅に応じた直流電圧を生成して局部発振器５４２に入力する。局部発振器５４２は、電圧制御発振器であり、ループフィルタ６３０からの直流電圧に応じた周波数の信号を生成して分周器６４０、および中心周波数シフト部５２４における分周器５２５に出力する。分周器６４０は、局部発振器５４２からの信号を２分周して、局部発振器５４２の発振周波数の半分の周波数の局部信号を得る。また、分周器６４０は、局部信号として、周波数が同様で、相対位相差が０度、９０度、１８０度、２７０度の４相の信号を生成する。
【手続補正８】
【補正対象書類名】明細書
【補正対象項目名】０１２３
【補正方法】変更
【補正の内容】
【０１２３】
本実施の形態の受信装置５００において、デジタル処理部５８０は、局部発振器５４２の発振周波数が３１２０ＭＨｚに固定されるようにＰＬＬ６００を制御する。そのために、リファレンス信号発振器５８５により生成されるリファレンス信号の周波数が１３ＭＨｚの１倍、または２倍または４倍とされている。また、分周器６４０により得られてイメージリジェクションミキサ５４３に入力される局部信号の周波数が１６５０ＭＨｚとなる。
【手続補正９】
【補正対象書類名】明細書
【補正対象項目名】０１２４
【補正方法】変更
【補正の内容】
【０１２４】
第１のＲＦ受信パス５１０または第２のＲＦ受信パス５２０から出力されたＲＦ信号は、同相結合器５３２を介して段間フィルタ５３４に入力され、段間フィルタ５３４によりバンドパス処理が施されて周波数変換部５４０に入力される。周波数変換部５４０におけるイメージリジェクションミキサ５４３は、分周器６４０からの局部信号の上部サイドと下部サイドのいずれかを用いて、段間フィルタ５３４からのＲＦ信号をＩＦ信号に変換する。イメージリジェクションミキサ５４３が局部信号の上部サイドと下部サイドのいずれを用いるかは、デジタル処理部５８０によりＲＦ信号の種類に応じて切替えられる。具体的には、段間フィルタ５３４からＲＦ信号が分周器６４０からの局部信号の周波数１６５０ＭＨｚより低い場合（ここではＧＰＳのＬ５Ｃを受信する場合）には下部サイドを用い、１６５０ＭＨｚより高い場合（ここではＧａｌｉｌｅｏのＬ１またはＥ５ｂを受信する場合）には上部サイドを用いる。
【手続補正１０】
【補正対象書類名】明細書
【補正対象項目名】０１２７
【補正方法】変更
【補正の内容】
【０１２７】
また、第１のＲＦ受信パス５１０が動作し、ＧａｌｉｌｅｏのＬ１帯域の信号を受信する際に、段間フィルタ５３４から出力されるＲＦ信号の中心周波数が１５７５．４２ＭＨｚとなる。イメージリジェクションミキサ５４３は、分周器６４０からの局部信号の上部サイドを用いてこのＲＦ信号をＩＦ信号に変換した結果、中心周波数が１５．４５ＭＨｚのＩＦ信号が得られる。